(57)【要約】【課題】引掛け爪を横桟に掛合させて屋根瓦を横桟に掛着させることにより、風による屋根瓦の浮き上がりやずれの防止を図る屋根瓦、横桟及び屋根瓦の取付構造を提供すること。【解決手段】横桟１００の断面形状をその表面１０１と棟側面１０２とのなす角度βが直角より小さくなる略逆台形に形成して、野地板１０００上に固定すると共に、屋根瓦１の瓦本体２の尻部１１の裏面９から下方へ向って突出して設けられた引掛け爪８を、その頭部側面１３と瓦本体２の裏面９が形成する角度αを直角より小さくなるように形成し、横桟１００に引掛け爪８を掛合させて、屋根瓦１を横桟１００に掛着し、瓦本体２の尻部１１に形成された取付孔１２に係止具２００を挿入し該係止具２００を横桟１００に打ち込んで、屋根瓦１を野地板１０００上に固定する。【選択図】      図３
2004232247.tif 000002
【特許請求の範囲】
【請求項１】
瓦本体の尻部側の裏面から下方に向って突出して設けられ、野地板上に固定された横桟に引掛ける引掛け爪と、前記瓦本体の尻部に設けられた前記横桟に打ち込む係止具を挿入するための取付孔と、を具備する屋根瓦において、
前記引掛け爪の頭部側面と瓦本体の裏面が形成する角度を直角より小さくなるように形成したことを特徴とする屋根瓦。
【請求項２】
前記瓦本体の裏面の引掛け爪近傍の横方向に、前記横桟の幅と略等しい幅を有する嵌合溝を形成したことを特徴とする請求項１に記載の屋根瓦。
【請求項３】
野地板上に固定され、屋根瓦の尻部に形成された引掛け爪を引掛けさせる横桟において、
該横桟の断面形状をその表面と棟側面とのなす角度が直角より小さくなる略逆台形に形成したことを特徴とする横桟。
【請求項４】
野地板上に固定された横桟に屋根瓦の瓦本体の尻部側の裏面から下方へ向って突出して設けられた引掛け爪を引掛けると共に、前記瓦本体の尻部に形成された取付孔に係止具を挿入し該係止具を前記横桟に打ち込むことにより、前記屋根瓦を前記野地板上に固定する屋根瓦の取付構造において、
前記横桟の断面形状をその表面と棟側面とのなす角度が直角より小さくなるように略逆台形に形成して、前記野地板に配設すると共に、
前記引掛け爪の頭部側面と瓦本体の裏面が形成する角度を前記横桟の表面と棟側面のなす角度とほぼ同じの直角より小さくなるように形成したことを特徴とする屋根瓦の取付構造。
【発明の詳細な説明】
【０００１】
【発明の属する技術分野】
本発明は、住宅等の屋根葺き用の屋根瓦、横桟及び屋根瓦の取付構造に関し、特に、風等による屋根瓦の浮き上がりやずれを防止する屋根瓦、横桟及び屋根瓦の取付構造に関する。
【０００２】
【従来の技術】
従来の屋根瓦５０は、例えば、図７または図８に示すように、瓦本体５１の横方向一側縁５２に設けられた差込押部５３と、瓦本体５１の横方向他側縁５４に設けられ、屋根葺き時に横方向に隣接する他の屋根瓦５０ａ（図１０参照）の差込押部５３とその上面とが重合する位置関係となる差込受部５５と、瓦本体５１の尻部側縁５６に下方へ向って突出するように設けられた引掛け爪５７と、瓦本体５１の尻部５８に横桟３００に打ち込む係止具２００（図９参照）が挿入される取付孔５９とが設けられている。
【０００３】
屋根葺き時には、従来の屋根瓦５０は、図９に示すように、縦方向については、引掛け爪５７を横桟３００に引掛けることにより、野地板１０００上の所定位置に配置される。横方向については、図１０に示すように、屋根瓦５０の差込受部５５を横方向他側方に隣接する他の屋根瓦５０ａの差込押部５３の裏面に対して重合するように配置される。そして、釘等の係止具２００を、取付孔５９に挿入して横桟３００に打ち込むことにより、野地板１０００上に固定される。（例えば、特許文献１参照。）。
【０００４】
【特許文献１】
特開２００１−１３２１６９号公報（第２頁、第４図）
【０００５】
【発明が解決しようとする課題】
しかしながら、従来の屋根瓦５０は、図９に示すように、縦方向については、引掛け爪５７を横桟３００に引掛けてあるだけで横桟３００に保持されておらず、係止具２００を横桟３００に打ち込むことにより野地板１０００上に固定されているだけであるので、強風に対して十分な保持力を有しておらず、例えば、台風等で屋根瓦５０の頭部６０方から尻部５８への強風によって、屋根瓦５０の頭部６０が持ち上がって、屋根瓦５０全体が浮き上がったりずれたりすることがあるという問題点がある。
【０００６】
すなわち、従来の屋根瓦５０の引掛け爪５７は、屋根葺き時に屋根瓦５０を所定位置に配置するために設けられたものであり、引掛け爪５７の頭部側面６１は、瓦本体５１の引掛け爪５７近傍の裏面６２に対して略直角をなすように形成されているので、従来の屋根瓦５０における強風による吹き上げ力に対する保持力は、係止具２００の補釘力に大きく依存している。
【０００７】
本発明は、上記課題に鑑みてなされたものであり、引掛け爪の頭部側面を、瓦本体の引掛け爪近傍の裏面に対して鋭角に傾斜するように形成することにより、風による屋根瓦の浮き上がりやずれの防止を図る屋根瓦、横桟及び屋根瓦の取付構造を提供することを目的とする。
【０００８】
【課題を解決するための手段】
前記目的を達成するためになされた本発明の請求項１の屋根瓦は、瓦本体の尻部の裏面から下方に向って突出して設けられ、野地板上に固定された横桟に引掛ける引掛け爪と、前記瓦本体の尻部に設けられた前記横桟に打ち込む係止具を挿入するための取付孔と、を具備する屋根瓦において、前記引掛け爪の頭部側面と瓦本体の裏面が形成する角度を直角より小さくなるように形成したことを特徴とするものである。
【０００９】
請求項２に記載の屋根瓦は、請求項１に記載の屋根瓦において、前記瓦本体の裏面の引掛け爪近傍の横方向に、前記横桟の幅と略等しい幅を有する嵌合溝を形成したことを特徴とするものである。
【００１０】
請求項３に記載の横桟は、野地板上に固定され、屋根瓦の尻部に形成された引掛け爪を引掛けさせる横桟において、該横桟の断面形状をその表面と棟側面とのなす角度が直角より小さくなる略逆台形に形成したことを特徴とするものである。
【００１１】
請求項４に記載の屋根瓦の取付構造は、野地板上に固定された横桟に屋根瓦の瓦本体の尻部の裏面から下方へ向って突出して設けられた引掛け爪を引掛けると共に、前記瓦本体の尻部に形成された取付孔に係止具を挿入し該係止具を前記横桟に打ち込むことにより、前記屋根瓦を前記野地板上に固定する屋根瓦の取付構造において、前記横桟の断面形状をその表面と棟側面とのなす角度が直角より小さくなるように略逆台形に形成して、前記野地板に配設すると共に、前記引掛け爪の頭部側面と瓦本体の裏面が形成する角度を前記横桟の表面と棟側面のなす角度とほぼ同じの直角より小さくなるように形成したことを特徴とするものである。
【００１２】
【発明の実施の形態】
以下、本発明の実施の形態について図面に基づいて説明する。
本発明の実施の形態に係る屋根瓦１は、例えば、図１または図２に示すように、瓦本体２の横方向一側縁３に設けられた差込押部４と、瓦本体２の横方向他側縁５に設けられ、屋根葺き時に横方向に隣接する他の屋根瓦１ａ（図４参照）の差込押部４とその上面とが重合する位置関係となる差込受部６と、瓦本体２の尻部側縁７に設けられ、野地板１０００上に固定された横桟１００（図３参照）に嵌合する引掛け爪８と、瓦本体２の裏面９の尻部側縁７近傍に設けられ、横桟１００に嵌合する嵌合溝１０と、瓦本体２の尻部１１に設けられ、横桟１００に打ち込む係止具２００（図３参照）を挿入するための取付孔１２とを具備するものである。
【００１３】
本実施の形態においては、図１または図２に示すように、屋根瓦１をＪ形桟瓦として説明する。したがって、瓦本体２は、略凹板状に形成されると共に、横方向一側縁３が横方向他側縁５よりも高く形成されている。
【００１４】
差込押部４は、図１に示すように、瓦本体２の横方向一側縁３に沿って形成された長方形の略平板状の部分であって、瓦本体２の横方向一側縁３から斜め下方に傾斜するように形成されている。
【００１５】
差込受部６は、図１に示すように、瓦本体２の横方向他側縁５に沿って形成された長方形の略平板状の部分であって、瓦本体２の横方向他側縁５から斜め上方に傾斜するように形成されている。
【００１６】
引掛け爪８は、図２または図３に示すように、瓦本体２の裏面９の尻部側縁７から下方へ向って突出して設けられた一定の厚さを有する舌片状の突起である。そして、その頭部側面１３は瓦本体２の裏面９に対して鋭角に傾斜するように形成されている。すなわち、頭部側面１３と裏面９とが形成する角度αは直角以下になるように設定されている。
引掛け爪８の位置及び個数については、横桟１００に屋根瓦１を安定よく掛着させるために、横桟１００への引掛り易さ等を考慮して定められ、瓦本体２の裏面９の尻部１１に設ければ特に限定されないが、本実施の形態では、横桟１００の長さ方向に沿って、瓦本体２の裏面９の尻部側縁７の横方向中央部に所望の間隔をおいて２個配置されている。
引掛け爪８の高さについては、横桟１００の高さを考慮して定められ、横桟１００の高さと同一またはそれよりも少し低い高さとする。本実施の形態では、引掛け爪８を横桟１００に引掛けたときに、横桟１００が嵌合溝１０に嵌合し得るように横桟１００の高さより少し低い高さに形成されている。
【００１７】
取付孔１２は、図１または図３に示すように、釘等の係止具２００を挿入するための孔であって、屋根葺き時に、横桟１００の上に載置される部分である瓦本体２の尻部１１に貫通して設けられる。より具体的には、係止具２００の胴部が挿入できる程度の直径を有し、横桟１００に係止具２００を打ち込むことができるように設けられている。
取付孔１２の個数については、特に制限はないが、通常は、１個または２個程度であり、本実施の形態では、屋根瓦１の尻部１１において１個のみ設けているが、横桟１００の長さ方向に沿って、屋根瓦１の尻部１１において横方向に２個設けることとしてもよい。
【００１８】
嵌合溝１０は、図２または図３に示すように、瓦本体２の裏面９の尻部側縁７近傍における横方向中央部に、裏面９を一定の幅及び長さを有するように凹ませて形成された略長方形状の溝部である。
嵌合溝１０の幅については、横桟１００の幅を考慮して定められ、横桟１００の幅と同一またはそれよりも大きい幅に形成されている。また、嵌合溝１０の長さについては、特に制限はないが、２個の引掛け爪８の間隔と略等しい長さに形成されている。
本実施の形態に係る屋根瓦１では、瓦本体２の裏面９の尻部側縁７近傍における横方向中央部に嵌合溝１０を設ける構成としているが、これに限定されるものではなく、嵌合溝１０を設けない構成としてもよい。
【００１９】
横桟１００は、図３または図４に示すように、断面略逆台形状の長尺の板材であって、その表面１０１と棟側面１０２とのなす角度βが直角より小さくなるように形成されている。この場合において、角度βを、前記屋根瓦１の引掛け爪８の頭部側面１３と裏面９とが形成する角度αと略等しくなるように設定すれば、引掛け爪８が横桟１００に密着して引掛かるので好ましい。しかし、これに限定されるものではなく、横桟１００の棟側面１０２が野地板１０００に対して略直角となるように、すなわち、従来のように断面形状が四角形となるように形成してもよい（図７参照）。この場合であっても、屋根瓦１の持ち上がりを従来よりも有効に阻止できる。すなわち、引っ掛け爪８の先端が棟桟１００の棟側面１０２の下方で接するので、屋根瓦１に対する持ち上げ力に有効に作用するからである。
【００２０】
次に、本実施の形態に係る屋根瓦１の屋根葺き時における取付構造について説明する。
横桟１００は、図３に示すように、棟方向と略平行に屋根瓦１の働き長さを考慮して所定の間隔をおいて釘等の係止具（図示せず）を用いて野地板１０００上に配設される。
【００２１】
屋根瓦１は、図３に示すように、縦方向については、瓦本体２の裏面９の尻部側縁７に設けられた引掛け爪８を横桟１００に掛合させると共に、瓦本体２の裏面９の尻部側縁７近傍に設けられた嵌合溝１０を横桟１００に嵌合させることにより、横桟１００に掛着され、野地板１０００上に配置される。このとき、前記角度αと角度βが共に鋭角で略等しい場合には、上手に掛合し外れにくくなる。
一方、図４に示すように、横方向については、屋根瓦１の差込受部６の上面が横方向他側方に隣接する他の屋根瓦１ａの差込押部４に対して重合するように野地板１０００上に配置される。
そして、図３または図４に示すように、瓦本体２の尻部１１に設けられた取付孔１２に釘等の係止具２００を挿入し、嵌合溝１０と嵌合している横桟１００に打ち込むことにより野地板１０００上の所定位置に固定される。
【００２２】
このように、屋根瓦１は、縦方向については、引掛け爪８と横桟１００との掛合、嵌合溝１０と横桟１００との嵌合及び係止具２００による留付けによって横桟１００に固定され、横方向については、屋根瓦１の差込受部６と隣接する他の屋根瓦１ａの差込押部４との重合によって固定されることにより、野地板１０００上に固定されることとなる。
【００２３】
屋根葺き後、図３の矢印で示すように、屋根瓦１の頭部１４方から尻部１１への強風によって、屋根瓦１の頭部が持ち上がり、屋根瓦１全体が上方へ浮き上がろうとするが、係止具２００が横桟１００に打ち込まれていることに加えて、引掛け爪８の頭部側面１３を瓦本体２の裏面９に対して鋭角（α）に、すなわち直角より小さく形成し、かつ、横桟１００の表面１０１と棟側面１０２とのなす角度（β）を直角より小さい鋭角に形成しているので、引掛け爪８を横桟１００に掛合させると、引掛け爪８の頭部側面１３が横桟１００の棟側面１０２に当接する。これにより、屋根瓦１が横桟１００に安定的に保持されることとなり、屋根瓦１の保持力が増大し、屋根瓦１の浮き上がりやずれを防止することができる。
【００２４】
このように、引掛け爪８と横桟１００とが掛合すると、引掛け爪８の頭部側面１３が横桟１００の棟側面１０２に当接することとなり、屋根瓦１が横桟１００に安定的に保持されて屋根瓦１の保持力が増大するので、屋根瓦１の尻部１１または屋根瓦１全体が浮き上がったりずれたりすることはない。加えて、本実施の形態のように、瓦本体２の裏面９の尻部側縁７近傍に嵌合溝１０を形成し、該嵌合溝１０に横桟１００を嵌合させることとすると、屋根瓦１が横桟１００に強固に掛着されて、屋根瓦１の安定性が更に向上し、屋根瓦１の保持力が増大する。また、図示はしないが、取付孔１２を図１に示す取付孔１２の位置よりもやや頭部１４方に設けると、係止具２００は風による吹き上げ力に対してより大きな留付け力を発揮するので、屋根瓦１の保持力が増大する。
【００２５】
なお、以上の実施の形態においては、屋根瓦１をＪ形桟瓦について説明したが、Ｆ形桟瓦やＳ形桟瓦等他の屋根瓦であってもよい。例えば、屋根瓦１が防災瓦１Ａである場合について図５、図６に基づいて簡単に説明すると、防災瓦１Ａの瓦本体２Ａの横方向他側縁５Ａの軒側の突出片５Ｂを瓦本体２Ａの横方向一側縁３Ａに設けられた差込押部４Ａの棟側の突起４Ｂで押えるように施工したものである。この時、突起４Ｂは横方向他側縁５Ａに設けられた差込受部６Ａと横方向他側縁５Ａが形成する凹部６Ｂの中に入り込む。その他については、前記と同様であるので説明を省略する。
【００２６】
【発明の効果】
以上説明したように、本発明の請求項１に係る屋根瓦によれば、引掛け爪の横桟に引掛ける側の瓦本体の裏面に対する角度を鋭角に傾斜するように形成したので、屋根瓦の頭部方から尻部への強風によって、屋根瓦の頭部が持ち上がって、屋根瓦全体が浮き上がろうとした時に、係止具が横桟に打ち込まれていることに加えて、引掛け爪の先端と横桟の棟側面との接点が、横桟の棟側の角が直角に形成されている時は下方に位置するので、屋根瓦の頭部の持ち上がりにより大きな力を必要とし、結果として屋根瓦の浮き上がりやずれを防止することができるという利点がある。又、横桟の棟側の角が引掛け爪と同じように鋭角に形成している場合には、互いに係合しより一層屋根瓦の浮き上がりやずれを防止することができる。
【００２７】
本発明の請求項２に記載の屋根瓦によれば、瓦本体の裏面の引掛け爪近傍の横方向に、横桟の幅と略等しい幅を有する嵌合溝を形成したので、該嵌合溝に横桟を嵌合させることにより、屋根瓦が横桟に強固に掛着されることとなり、上記の効果に加えて、屋根瓦の安定性を向上させることができるという利点がある。
【００２８】
本発明の請求項３に記載の横桟によれば、該横桟の断面形状をその表面と棟側面とのなす角度が直角より小さくなる略逆台形に形成したので、屋根瓦の頭部方から尻部への強風によって、屋根瓦の頭部が持ち上がって、屋根瓦全体が浮き上がろうとする際に、引掛け爪の頭部側面が横桟の棟側面に当接することとなり、屋根瓦が横桟に安定的に保持されて屋根瓦の保持力が増大するので、屋根瓦の浮き上がりやずれを防止することができるという利点がある。
【００２９】
本発明の請求項４に記載の屋根瓦の取付構造によれば、屋根瓦の頭部方から尻部への強風によって、屋根瓦の頭部が持ち上がって、屋根瓦全体が浮き上がろうとするが、係止具が横桟に打ち込まれていることに加えて、引掛け爪が横桟に掛合して屋根瓦が横桟に掛着されると、引掛け爪の横桟に引掛ける側が横桟の棟側面に当接するので、屋根瓦が横桟に安定的に保持されて屋根瓦の保持力が増大して、屋根瓦の浮き上がりやずれを防止することができるという利点がある。
【図面の簡単な説明】
【図１】本発明の実施の形態に係る屋根瓦の表面を示す斜視図である。
【図２】本発明の実施の形態に係る屋根瓦の裏面を示す斜視図である。
【図３】本発明の実施の形態に係る屋根瓦を屋根に配置する際の状態を示す断面図である。
【図４】本発明の実施の形態に係る屋根瓦を屋根に配置する際の状態を示す斜視図である。
【図５】屋根瓦が防災瓦である場合の斜視図である。
【図６】図５の防災瓦を屋根に配置した説明図である。
【図７】従来例に係る屋根瓦の表面を示す斜視図である。
【図８】従来例に係る屋根瓦の裏面を示す斜視図である。
【図９】従来例に係る屋根瓦を屋根に配置する際の状態を示す断面図である。
【図１０】従来例に係る屋根瓦を屋根に配置する際の状態を示す斜視図である。
【符号の説明】
１  屋根瓦
２  瓦本体
８  引掛け爪
９  裏面
１０  嵌合溝
１１  尻部
１２  取付孔
１３  頭部側面
１００  横桟
１０１  表面
１０２  棟側面
２００  係止具
【図１】
2004232247.tif 000003
【図２】
2004232247.tif 000004
【図３】
2004232247.tif 000005
【図４】
2004232247.tif 000006
【図５】
2004232247.tif 000007
【図６】
2004232247.tif 000008
【図７】
2004232247.tif 000009
【図８】
2004232247.tif 000010
【図９】
2004232247.tif 000011
【図１０】
2004232247.tif 000012